(57)【要約】【課題】おしぼり用のタオルを袋に密封した状態で長期間保管ができ、瞬間的に水で湿潤したおしぼりを準備することができる瞬間ウェットおしぼりおよびタオルを提供する。【解決手段】水１４を収納した水供給体１３と、乾燥タオル１２と、水供給体１３および乾燥タオル１２を収納するタオル収納体１１とを備え、使用する際に、水供給体１３のみを破壊させることによって乾燥タオル１２に水を吸着させて湿潤タオルを形成し、タオル収納体１１から湿潤タオルを取り出す。【選択図】図１
0003212706.tif 000002
【実用新案登録請求の範囲】
【請求項１】
水を収納した水供給体と、
乾燥タオルと、
水供給体および乾燥タオルを収納するタオル収納体とを備え、
使用する際に、水供給体のみを破壊させることによって乾燥タオルに水を吸着させて湿潤タオルを形成し、タオル収納体から当該湿潤タオルを取り出せることを特徴とする瞬間ウェットおしぼりおよびタオル。
【請求項２】
水を収納した第１の水供給体、並びに乾燥タオルとを収納したタオル収納体と、
水を収納した第２の水供給体、並びに生石灰系発熱剤とを収納した発熱体と、からなる瞬間ウェットおしぼりおよびタオルであって、
タオル収納体と発熱体とは互いに接触して配置され、
使用する際に、第１の水供給体および第２の水供給体のみを破壊させることによって乾燥タオルに水を吸着させて湿潤タオルを形成すると共に、発熱体からの発熱によって湿潤タオルを加熱した後、タオル収納体から当該湿潤タオルを取り出せることを特徴とする瞬間ウェットおしぼりおよびタオル。
【請求項３】
水を収納した水供給体、並びに乾燥タオルとを収納したタオル収納体と、
外側を酸素不透過性包袋で覆った通気性包袋の内部に収納された鉄系発熱剤を含む発熱体と、からなる瞬間ウェットおしぼりおよびタオルであって、
タオル収納体と発熱体とは互いに接触して配置され、
使用する際に、水供給体および酸素不透過性包袋のみを破壊させることによって乾燥タオルに水を吸着させて湿潤タオルを形成すると共に、発熱体からの発熱によって湿潤タオルを加熱した後、タオル収納体から当該湿潤タオルを取り出せることを特徴とする瞬間ウェットおしぼりおよびタオル。
【請求項４】
水を収納した第１の水供給体と乾燥タオルとを収納したタオル収納体と、
水を収納した第２の水供給体と吸熱剤とを収納した吸熱体と、からなる瞬間ウェットおしぼりおよびタオルであって、
タオル収納体と吸熱体とは互いに接触して配置され、
使用する際に、第１の水供給体および第２の水供給体のみを破壊させることによって乾燥タオルに水を吸着させて湿潤タオルを形成すると共に、吸熱体からの吸熱によって湿潤タオルを冷却した後、タオル収納体から当該湿潤タオルを取り出せることを特徴とする瞬間ウェットおしぼりおよびタオル。
【考案の詳細な説明】
【技術分野】
【０００１】
本考案は、瞬間ウェットおしぼりおよびタオルに関するものであって、おしぼりとして使用する直前に乾燥タオルを水で湿潤させ、湿潤タオルを加温させ、あるいは湿潤タオルを冷却することが可能な瞬間ウェットおしぼりおよびタオルを提供するものである。
【背景技術】
【０００２】
おしぼりは、タオルなどの布片を水に浸して絞り、適度に湿潤させたものとすることで、食事前や食事中などに食卓において手を拭くのに便利なように供したものである。
【０００３】
従来、おしぼりは、湿潤したタオルを巻くか畳むなどして細長く成形し、ビニール、ナイロン等の袋に密封した状態で提供されることが多かった。
また、湿潤したタオルを袋で密封した上で、冷蔵庫等でこれを冷やし、冷たいおしぼりを提供したり、あるいはおしぼり加熱器等でこれを温め、温かいおしぼりを提供することも行われている。
【０００４】
また、携帯に便利で、短時間で昇温して使用可能となり、複数枚のウェットタオルを連続使用する場合であっても簡便に使用することができ、かつ使用中も常に適温に保持することができるホットウェットタオルを提供するために、以下のようなホットウェットタオルがある。（特許文献１参照）
【０００５】
すなわち、粉末状又はシート状の鉄系発熱剤を包材に充填し、かつウェットタオルと密着する面が柔軟性水遮蔽シート、密着しない面が柔軟性通気シートで形成されている発熱体に、１枚又は複数枚のウェットタオルを接着又は半接着させておき、発熱体とウェットタオルとを密着した状態で使用するホットウェットタオルである。
【０００６】
しかし、このようなホットウェットタオルでは、水で湿潤したタオルを予め袋（外装袋）内に封入しておく必要があった。  ところが、水で湿潤したタオルを長時間袋内に封入しておくと、湿潤したタオルに雑菌が繁殖するため、異臭がしたり、衛生面で問題があることから、湿潤したタオルを袋に封入した後長時間にわたって保管しておくことができなかった。
【先行技術文献】
【特許文献】
【０００７】
特許文献１：  特開平１１−３３２７８０
【考案の概要】
【考案が解決しようとする課題】
【０００８】
本考案は、かかる観点に鑑みなされたものであり、おしぼり用のタオルを袋に密封した状態で長期間保管ができ、瞬間的に水で湿潤したおしぼりを準備することができる瞬間ウェットおしぼりおよびタオルを提供することを課題とするものである。
また、本考案は、長期間保管のできる瞬間ウェットおしぼりおよびタオルであって、瞬間的に水で湿潤させ、かつ適切な温度に加熱したおしぼりを準備することができる瞬間ウェットおしぼりおよびタオルを提供することを課題とするものである。
更に、本考案は、長期間保管のできる瞬間ウェットおしぼりおよびタオルであって、瞬間的に水で湿潤させ、かつ適切な温度に冷却したおしぼりを準備することができる瞬間ウェットおしぼりおよびタオルを提供することを課題とするものである。
【課題を解決するための手段】
【０００９】
上記課題を解決するために、本考案の第１の観点にかかる考案では、
水を収納した水供給体と、
乾燥タオルと、
水供給体および乾燥タオルを収納するタオル収納体とを備え、
使用する際に、水供給体のみを破壊させることによって乾燥タオルに水を吸着させて湿潤タオルを形成し、タオル収納体から当該湿潤タオルを取り出せることができる瞬間ウェットおしぼりおよびタオルとした。
【００１０】
また、本考案の第２の観点にかかる考案では、
水を収納した第１の水供給体、並びに乾燥タオルとを収納したタオル収納体と、
水を収納した第２の水供給体、並びに生石灰系発熱剤とを収納した発熱体と、からなる瞬間ウェットおしぼりおよびタオルであって、
タオル収納体と発熱体とは互いに接触して配置され、
使用する際に、第１の水供給体および第２の水供給体のみを破壊させることによって乾燥タオルに水を吸着させて湿潤タオルを形成すると共に、発熱体からの発熱によって湿潤タオルを加熱した後、タオル収納体から当該湿潤タオルを取り出せることができる瞬間ウェットおしぼりおよびタオルとした。
【００１１】
また、本考案の第３の観点にかかる考案では、
水を収納した水供給体、並びに乾燥タオルとを収納したタオル収納体と、
外側を酸素不透過性包袋で覆った通気性包袋の内部に収納された鉄系発熱剤を含む発熱体と、からなる瞬間ウェットおしぼりおよびタオルであって、
タオル収納体と発熱体とは互いに接触して配置され、
使用する際に、水供給体および酸素不透過性包袋のみを破壊させることによって乾燥タオルに水を吸着させて湿潤タオルを形成すると共に、発熱体からの発熱によって湿潤タオルを加熱した後、タオル収納体から当該湿潤タオルを取り出せることができる瞬間ウェットおしぼりおよびタオルとした。
【００１２】
また、本考案の第４の観点にかかる考案では、
水を収納した第１の水供給体、並びに乾燥タオルとを収納したタオル収納体と、
水を収納した第２の水供給体、並びに吸熱剤とを収納した吸熱体と、からなる瞬間ウェットおしぼりおよびタオルであって、
タオル収納体と吸熱体とは互いに接触して配置され、
使用する際に、第１の水供給体および第２の水供給体のみを破壊させることによって乾燥タオルに水を吸着させて湿潤タオルを形成すると共に、吸熱体からの吸熱によって湿潤タオルを冷却した後、タオル収納体から当該湿潤タオルを取り出せることができる瞬間ウェットおしぼりおよびタオルとした。
【考案の効果】
【００１３】
上述した考案の構成としたことにより、おしぼり用のタオルを袋に密封した状態で長期間保管ができ、瞬間的に水で湿潤したおしぼりを準備することができる瞬間ウェットおしぼりおよびタオルを提供することが可能となった。
また、長期間保管のできる瞬間ウェットおしぼりおよびタオルであって、瞬間的に水で湿潤させ、かつ適切な温度に加熱したおしぼりを準備することができる瞬間ウェットおしぼりおよびタオルを提供することが可能となった。
更に、長期間保管のできる瞬間ウェットおしぼりおよびタオルであって、瞬間的に水で湿潤させ、かつ適切な温度に冷却したおしぼりを準備することができる瞬間ウェットおしぼりおよびタオルを提供することが可能となった。
【図面の簡単な説明】
【００１４】
【図１】図１は、本考案の第１の実施形態にかかる瞬間ウェットおしぼりおよびタオルの正面図および断面図を示したものである。
【図２】図２は、本考案の第２の実施形態にかかる瞬間ウェットおしぼりおよびタオルの正面図および断面図を示したものである。
【図３】図３は、本考案の第３の実施形態にかかる瞬間ウェットおしぼりおよびタオルの正面図および断面図を示したものである。
【図４】図４は、本考案の第４の実施形態にかかる瞬間ウェットおしぼりおよびタオルの正面図および断面図を示したものである。
【考案を実施するための形態】
【００１５】
まず、図１に基づき、本考案の第１の実施形態にかかる瞬間ウェットおしぼりおよびタオル１０について説明する。
第１の実施形態にかかる瞬間ウェットおしぼりおよびタオル１０は、水１４を収納した水供給体１３と、乾燥タオル１２と、水供給体１３並びに乾燥タオル１２を収納するタオル収納体１１とから構成されている。
【００１６】
水供給体１３は、ポリエチレンフィルム等の合成樹脂フィルムからなり、水不透過特性を有するものである。  水供給体１３は密閉され、内部に水を保持することが可能となっている。
【００１７】
この水供給体１３は、ある程度大きな外力を加えることによって、合成樹脂フィルムが裂開したり、重ねられて接合したシーリング部分が引き剥がされたりして内部の水１４が水供給体１３の外部へ放出されるようにするために、トリガーとなるノッチ部や、接合部分が予め設けられている。
【００１８】
なお、このトリガーとなるノッチ部や、接合部分は、通常の取扱い時において外部から作用する力では、裂開したり、シーリング部分が引き剥がされたりすることがない程度の強度を有している。
【００１９】
水供給体１３の内部に収納される水１４は、直接水供給体１３の内部に収納するようにしても良いし、吸水性素材に水１４を予め含浸させ、水１４を含浸させた吸水性素材を水供給体１３の中に収納するようにしても良い。
このような吸水性素材としてスポンジや繊維、あるいは吸水性ポリマー等を使用することができる。
【００２０】
本実施形態で使用される乾燥タオル１２は、一般にタオルとよばれている布地、すなわち吸水性や肌触りを良くするため、表面にループ状の細かい糸が飛び出している布地のものの他、起毛部分を減らした手ぬぐいのような布地のもの、あるいはペーパータオルと呼ばれるような紙製の素材を含むものである。
【００２１】
この乾燥タオル１２は、一重、あるいは複層に折りたたんだ状態で、かつ水供給体１３に隣接した状態でタオル収納体１１の中に収納されている。  あるいは、乾燥タオル１２を複層とし、複層の乾燥タオル１２の内側に水供給体１３を挟み込むようにして配置するようにしても良い。
【００２２】
タオル収納体１１は、水供給体１３と同様に、ポリエチレンフィルム等の合成樹脂フィルムからなり、水不透過特性を有するものである。  ただし、水供給体１３の内部の水１４が水供給体１３の外部へ放出されるようにするために、タオル収納体１１の外部から水供給体１３にある程度大きな力が加えられた場合であっても、タオル収納体１１が破れたりすることのない強度を有している。
【００２３】
また、タオル収納体１１には、内部から湿潤タオルを取り出すためにタオル収納体１１を簡単に開封するためのシール部あるいは合成樹脂フィルムを簡単に裂開するためのノッチ部が設けられている。
【００２４】
瞬間ウェットおしぼりおよびタオル１０を使用するときには、まず外部から瞬間ウェットおしぼりおよびタオル１０にある程度の力（例えば、圧縮、引張、あるいはねじりによる力）を作用させて、水供給体１３の合成樹脂フィルムを裂開させたり、あるいは接合したシーリング部分を引き剥がして内部の水１４を水供給体１３の外部へ放出させる。
【００２５】
水供給体１３から放出された水１４は、隣接して配置された乾燥タオル１２に接触し毛細管作用により乾燥タオル１２の内部まで浸透し、乾燥タオル１２は水１４で湿潤された湿潤タオルとなる。
【００２６】
その後、タオル収納体１１を開封し、湿潤タオルは、タオル収納体１１から取り出され、おしぼりとして使用される。
【００２７】
なお、図１に示す第１の実施形態にかかる瞬間ウェットおしぼりおよびタオル１０は、平板状に広げた状態で示してあるが、タオル収納体１１を何層かに折りたたんだ状態にしたり、あるいは巻き上げてロール状にしても良い。
【００２８】
次に、図２に基づき、本考案の第２の実施形態にかかる瞬間ウェットおしぼりおよびタオル２０について説明する。
第２の実施形態にかかる瞬間ウェットおしぼりおよびタオル２０は、水２４を収納した第１の水供給体２３と、乾燥タオル２２と、第１の水供給体２３並びに乾燥タオル２２を収納するタオル収納体２１とを備えている。
第２の実施形態にかかる瞬間ウェットおしぼりおよびタオル２０は、更に、水２４を収納した第２の水供給体２６と、生石灰系発熱剤２７と、第２の水供給体２６並びに生石灰系発熱剤２７を収納した発熱体２５とを備えている。
そしてタオル収納体２１と発熱体２５は互いに隣接して配置されているが、タオル収納体２１と発熱体２５を接着剤によって互いに接着しておいても良い。
【００２９】
第２の実施形態にかかる瞬間ウェットおしぼりおよびタオル２０の水２４、第１の水供給体２３、乾燥タオル２２、タオル収納体２１と、第１の実施形態にかかる瞬間ウェットおしぼりおよびタオル１０の水１４、水供給体１３、乾燥タオル１２、タオル収納体１１とは、それぞれ同一であるため、ここでは説明を省略する。
【００３０】
また、第２の実施形態にかかる瞬間ウェットおしぼりおよびタオル２０の第２の水供給体２６は、第１の実施形態にかかる瞬間ウェットおしぼりおよびタオル１０の水供給体１３と同一であるため、ここでは説明を省略する。
【００３１】
生石灰系発熱剤２７は、生石灰粉末または生石灰粉末とアルミニュウム粉末との混合粉末からなり、発熱体２５の内部であって、第２の水供給体２６に隣接して配置されている。  粉末状の生石灰系発熱剤２７は、直接発熱体２５の中に収納しても良いし、不織布等で作られた透水性の包袋に一旦収納し、その状態で発熱体２５の中に収納するようにしても良い。  また、生石灰系発熱剤２７におけるアルミニュウム粉末の混合比は特に限定されるものではない。
【００３２】
発熱体２５は、ポリエチレンフィルム等の合成樹脂フィルムからなり、水不透過特性を有するものである。  また、第２の水供給体２６の内部の水２４が第２の水供給体２６の外部へ放出されるようにするために、発熱体２５の外部から第２の水供給体２６にある程度大きな力が加えられた場合であっても、発熱体２５が破れたりすることのない強度を有している。
【００３３】
なお、生石灰系発熱剤２７と水２４が反応する際にガスが発生するが、発熱体２５には、このガスのみを外部へ逃がすための通気部を設けておくようにしても良い。
【００３４】
この瞬間ウェットおしぼりおよびタオル２０を使用するときには、まず外部から瞬間ウェットおしぼりおよびタオル２０にある程度の力（例えば、圧縮、引張、あるいはねじりによる力）を作用させて、第１の水供給体２３および第２の水供給体２６の合成樹脂フィルムを裂開させたり、あるいは接合したシーリング部分を引き剥がして内部の水２４を第１および第２の水供給体２３、２６の外部へ放出させる。
【００３５】
第１の水供給体２３から放出された水２４は、隣接して配置された乾燥タオル２２に接触し毛細管作用により乾燥タオル２２の内部まで浸透し、乾燥タオル２２は水２４で湿潤された湿潤タオルとなる。
【００３６】
同時に、第２の水供給体２６から放出された水２４は、隣接して配置された生石灰系発熱剤２７に接触し、発熱反応をおこす。  水２４と生石灰系発熱剤２７との発熱反応の熱は、発熱体２５からタオル収納体２１へ伝わり、タオル収納体２１の内部に収納された湿潤タオルを温めるようになっている。
【００３７】
ここで、発熱体２５に収納される生石灰系発熱剤２７の量を調節することにより、湿潤タオルを適切な温度に加温することが可能となる。
湿潤タオルが適切な温度に加温された後、タオル収納体２１を開封し、ホットな湿潤タオルは、タオル収納体２１から取り出され、おしぼりとして使用される。
【００３８】
なお、図２に示す第２の実施形態にかかる瞬間ウェットおしぼりおよびタオル２０は、平板状に広げた状態で示してあるが、タオル収納体２１と発熱体２５を重ね合わせた上で、何層かに折りたたんだ状態にしたり、あるいは巻き上げてロール状にしても良い。
【００３９】
次に、図３に基づき、本考案の第３の実施形態にかかる瞬間ウェットおしぼりおよびタオル３０について説明する。
第３の実施形態にかかる瞬間ウェットおしぼりおよびタオル３０は、水３４を収納した水供給体３３と、乾燥タオル３２と、水供給体３３並びに乾燥タオル３２を収納するタオル収納体３１とを備えている。
第３の実施形態にかかる瞬間ウェットおしぼりおよびタオル３０は、更に、外側を酸素不透過性包袋３８で覆った通気性包袋３９の内部に収納された鉄系発熱剤３７を含む発熱体３５とを備えている。
そしてタオル収納体３１と発熱体３５は互いに隣接して配置されているが、タオル収納体３１と発熱体３５を接着剤によって互いに接着しておいても良い。
【００４０】
第３の実施形態にかかる瞬間ウェットおしぼりおよびタオル３０の水３４、水供給体３３、乾燥タオル３２、タオル収納体３１と、第１の実施形態にかかる瞬間ウェットおしぼりおよびタオル１０の水１４、水供給体１３、乾燥タオル１２、タオル収納体１１とは、それぞれ同一であるため、ここでは説明を省略する。
【００４１】
発熱体３５の中に収納される鉄系発熱剤３７としては、鉄粉または鉄粉にアルミニュウム粉末、水分、塩化ナトリュウム、活性炭、水分保持剤等を添加したものが使用される。  このよう鉄系発熱剤３７を、不織布等からできた通気性包袋３９の中に収納し、更にその外側を合成樹脂フィルム等の酸素不透過性包袋３８で覆うことによって発熱体３５が構成されている。  なお、鉄系発熱剤３７の配合比は特に限定されるものではない。
【００４２】
ここで、酸素不透過性包袋３８は、ある程度大きな外力を加えることによって、酸素不透過性包袋３８の合成樹脂フィルムが裂開したり、重ねられて接合したシーリング部分が引き剥がされたりして外気が通気性包袋３９を通して鉄系発熱剤３７と接触するようにするために、トリガーとなるノッチ部や、接合部分が予め設けられている。
【００４３】
この瞬間ウェットおしぼりおよびタオル３０を使用するときには、まず外部から瞬間ウェットおしぼりおよびタオル３０にある程度の力（例えば、圧縮、引張、あるいはねじりによる力）を作用させて、水供給体３３および酸素不透過性包袋３８の合成樹脂フィルムを裂開させたり、あるいは接合したシーリング部分を引き剥がして内部の水３４を水供給体３３の外部へ放出させると共に、外気が通気性包袋３９を通して鉄系発熱剤３７と接触させる。
【００４４】
水供給体３３から放出された水３４は、隣接して配置された乾燥タオル３２に接触し毛細管作用により乾燥タオル３２の内部まで浸透し、乾燥タオル３２は水３４で湿潤された湿潤タオルとなる。
【００４５】
同時に、外気が通気性包袋３９を通して鉄系発熱剤３７と接触することによって、大気中の酸素と鉄系発熱剤３７が発熱反応を起こすようになっている。
大気中の酸素と鉄系発熱剤３７との発熱反応の熱は、発熱体３５からタオル収納体３１へ伝わり、タオル収納体３１の内部に収納された湿潤タオルを温めるようになっている。
【００４６】
ここで、発熱体３５に収納される鉄系発熱剤３７の量を調節することにより、湿潤タオルを適切な温度に加温することが可能となる。
湿潤タオルが適切な温度に加温された後、タオル収納体３１を開封し、ホットな湿潤タオルは、タオル収納体３１から取り出され、おしぼりとして使用される。
【００４７】
なお、図３に示す第３の実施形態にかかる瞬間ウェットおしぼりおよびタオル３０は、平板状に広げた状態で示してあるが、タオル収納体３１と発熱体３５を重ね合わせた上で、何層かに折りたたんだ状態にしたり、あるいは巻き上げてロール状にしても良い。
【００４８】
次に、図４に基づき、本考案の第４の実施形態にかかる瞬間ウェットおしぼりおよびタオル４０について説明する。
第４の実施形態にかかる瞬間ウェットおしぼりおよびタオル４０は、水４４を収納した第１の水供給体４３と、乾燥タオル４２と、第１の水供給体４３並びに乾燥タオル４２を収納するタオル収納体４１とを備えている。
第４の実施形態にかかる瞬間ウェットおしぼりおよびタオル４０は、更に、水４４を収納した第２の水供給体４６と、吸熱剤４７と、第２の水供給体４６並びに吸熱剤４７を収納した吸熱体４５とを備えている。
そしてタオル収納体４１と吸熱体４５は互いに隣接して配置されているが、タオル収納体４１と吸熱体４５を接着剤によって互いに接着しておいても良い。
【００４９】
第４の実施形態にかかる瞬間ウェットおしぼりおよびタオル４０の水４４、第１の水供給体４３、乾燥タオル４２、タオル収納体４１と、第２の実施形態にかかる瞬間ウェットおしぼりおよびタオル２０の水２４、第１の水供給体２３、乾燥タオル２２、タオル収納体２１とは、それぞれ同一であるため、ここでは説明を省略する。
【００５０】
また、第４の実施形態にかかる瞬間ウェットおしぼりおよびタオル４０の第２の水供給体４６は、第２の実施形態にかかる瞬間ウェットおしぼりおよびタオル２０の第２の水供給体２６と同一であるため、ここでは説明を省略する。
【００５１】
吸熱剤４７は、尿素粉末、硝酸アンモニウム粉末、あるいは尿素粉末と硝酸アンモニウム粉末の混合物からなり、吸熱体４５の内部であって、第２の水供給体４６に隣接して配置されている。  粉末状の尿素、硝酸アンモニウム、あるいは尿素と硝酸アンモニウムの混合物（吸熱剤４７）は、直接吸熱体４５の中に収納しても良いし、不織布等で作られた透水性の包袋に一旦収納し、その状態で吸熱体４５の中に収納するようにしても良い。    また、吸熱剤４７における尿素と硝酸アンモニウム粉末の混合比は特に限定されるものではない。
【００５２】
吸熱体４５は、ポリエチレンフィルム等の合成樹脂フィルムからなり、水不透過特性を有するものである。  また、第２の水供給体４６の内部の水４４が第２の水供給体４６の外部へ放出されるようにするために、吸熱体４５の外部から第２の水供給体４６にある程度大きな力が加えられた場合であっても、発熱体２５が破れたりすることのない強度を有している。
【００５３】
この瞬間ウェットおしぼりおよびタオル４０を使用するときには、まず外部から瞬間ウェットおしぼりおよびタオル４０にある程度の力（例えば、圧縮、引張、あるいはねじりによる力）を作用させて、第１の水供給体４３および第２の水供給体４６の合成樹脂フィルムを裂開させたり、あるいは接合したシーリング部分を引き剥がして内部の水４４を第１および第２の水供給体４３、４６の外部へ放出させる。
【００５４】
第１の水供給体４３から放出された水４４は、隣接して配置された乾燥タオル４２に接触し毛細管作用により乾燥タオル４２の内部まで浸透し、乾燥タオル４２は水４４で湿潤された湿潤タオルとなる。
【００５５】
同時に、第２の水供給体４６から放出された水４４は、隣接して配置された吸熱剤４７に接触し、吸熱反応をおこす。  水４４と吸熱剤４７との吸熱反応により、タオル収納体４１から吸熱体４５へ熱が逃げ、タオル収納体４１の内部に収納された湿潤タオルを冷やすようになっている。
【００５６】
ここで、吸熱体４５に収納される吸熱剤４７の量を調節することにより、湿潤タオルを適切な温度に冷却することが可能となる。
湿潤タオルが適切な温度に冷却された後、タオル収納体４１を開封し、冷えた湿潤タオルは、タオル収納体４１から取り出され、おしぼりとして使用される。
【００５７】
なお、図４に示す第４の実施形態にかかる瞬間ウェットおしぼりおよびタオル４０は、平板状に広げた状態で示してあるが、タオル収納体４１と吸熱体４５を重ね合わせた上で、何層かに折りたたんだ状態にしたり、あるいは巻き上げてロール状にしても良い。
【符号の説明】
【００５８】
10、20、30、40      瞬間ウェットおしぼりおよびタオル
11、21、31、41      タオル収納体
12、22、32、42      乾燥タオル
13、33              水供給体
14、24、34、44      水
23、43              第１の水供給体
25、35              発熱体
26、46              第２の水供給体
27                  生石灰系発熱剤
37                  鉄系発熱剤
38                  酸素不透過性包袋
39                  通気性包袋
45                  吸熱体
47                  吸熱剤
【図１】
0003212706.tif 000003
【図２】
0003212706.tif 000004
【図３】
0003212706.tif 000005
【図４】
0003212706.tif 000006